(57)【要約】【課題】  記念となる各段階（たとえば年齢面での各段階）に応じて思い出となる情報を一元的に積み重ねていくことができる記録ユニットを並びにその記録ユニットに係るデータ取得システム、製造システムおよび情報処理システムを提供する。【解決手段】  所定の者の情報または所定の者に対する音声情報または画像情報を再生する再生部１０，１２と、所定の者の体の少なくとも一部をかたどる模型部１４と、他の記録ユニットと接続するための接続部１６とを含む。【選択図】      図１
2009207884.tif 000002
【特許請求の範囲】
【請求項１】
所定の者の情報または当該所定の者に対する音声情報または画像情報を再生する再生部と、
前記所定の者の体の少なくとも一部をかたどる模型部と、
他の記録ユニットと接続するための接続部とを含む、記録ユニット。
【請求項２】
請求項１に記載の記録ユニットを製造するためのデータ取得システムであって、
前記所定の者の体の少なくとも一部のデータを取得する検知部を含むデータ取得システム。
【請求項３】
請求項２に記載のデータ取得システムを複数有し、前記複数のデータ取得システムと通信ネットワークを通じて接続されている情報処理システムであって、
前記情報処理システムは、前記所定の者にとって最適なデータ取得システムを導出する導出部を含む情報処理システム。
【請求項４】
請求項１に記載の記録ユニットを製造するための製造システムであって、
取得したデータに基づいて前記所定の者の体の少なくとも一部をかたどる模型部を作成するための型を作成する型製造機を含む製造システム。
【請求項５】
請求項４に記載の製造システムを複数有し、前記複数の製造システムと接続されている情報処理システムであって、
前記情報処理システムは、前記所定の者にとって最適なデータ取得システムを導出する導出部を含む情報処理システム。
【請求項６】
複数の記録ユニットが接続部により連結された記録ユニットの集合体であって、
前記接続部は、第１の軸、第２の軸、第３の軸および第４の軸と、
第１の支持体および第２の支持体と、
第１の連結体および第２の連結体と、を含み、
第１の支持体は、前記第１の軸および前記第３の軸を中心として回転可能に前記第１の軸および前記第３の軸に取り付けられ、
前記第２の支持体は、前記第２の軸および前記第４の軸を中心として回転可能に前記第２の軸および前記第３の軸に取り付けられ、
前記第１の連結体は、前記第１の軸および前記第２の軸を保持することを通じて、前記第１の支持体と前記第２の支持体を連結し、
前記第２の連結体は、前記第３の軸および前記第４の軸を保持することを通じて、前記第１の支持体と前記第２の支持体を連結している、記録ユニットの集合体。
【請求項７】
複数の記録ユニットが接続部により連結された記録ユニットの集合体であって、
第１のユニットの端面と第２のユニットの端面とが対向するように隣接して並べたときに、第１のユニットの端面における第１の端が向かい合う第２のユニットの端面の端を、第２のユニットの端面における第１の端とし、第１のユニットの端面における第２の端が向かい合う第２のユニットの端面の端を、第２のユニットの端面における第２の端としたとき、
前記接続部は、
前記第１のユニットの端面における第１の端と、前記第２のユニットの端面における第２の端とを接続する第１の接続帯および第２の接続帯と、
前記第１の接続帯と前記第２の接続帯との間において、前記第１のユニットの端面における第２の端と、前記第２のユニットの端面における第１の端とを接続する中間接続帯とを有する、記録ユニットの集合体。
【発明の詳細な説明】
【技術分野】
【０００１】
本発明は、情報を記録できる記録ユニットに関し、特に思い出となる情報を記録できる記録ユニット並びにその記録ユニットに係るデータ取得システム、製造システム、情報処理システムおよび記録ユニットの集合体に関する。
【背景技術】
【０００２】
成長情報を記録するものとして、写真のアルバムなどがある。また、写真と共に、手形レリーフブロンズ板を含む記念品収納箱などが提案されている（特許文献１参照）。
【特許文献１】特開２００５−９５２２３号公報
【発明の開示】
【発明が解決しようとする課題】
【０００３】
本発明の目的は、記念となる各段階（たとえば年齢面での各段階）に応じて思い出となる情報を一元的に積み重ねていくことができる記録ユニットを並びにその記録ユニットに係るデータ取得システム、製造システム、情報処理システムおよび記録ユニットの集合体を提供することにある。
【課題を解決するための手段】
【０００４】
本発明の記録ユニットは、
所定の者の情報または当該所定の者に対する音声情報または画像情報を再生する再生部と、
前記所定の者の体の少なくとも一部をかたどる模型部と、
他の記録ユニットと接続するための接続部とを含む。
【０００５】
本発明の記録ユニットによれば、他の記録ユニットと接続することができる接続部を有するため、たとえば成長段階に応じて追加していくことができる。このため、記念となる各段階（たとえば年齢面での各段階）に応じて思い出となる情報を一元的に積み重ねていくことができる。つまり、今まで成長の各時点における思い出となる品は別個のもので統一的に管理をすることが難しいが、本発明によれば統一管理が容易となる。また、模型部を有するため、視覚的だけでなく、手で触れることでもその時の体の状態を感じることができる。さらに、再生部があることで、データ（音声または画像）の再生を通じても思い出となる情報に触れることができため、多角的かつ多面的に思い出を記録することができる。
【０００６】
本発明のデータ取得システムは、本発明の記録ユニットを製造するためのデータ取得システムであって、前記所定の者の体の少なくとも一部のデータを取得する検知部を含む。
【０００７】
本発明のデータ取得システムは、本発明の記録ユニットの製造に特に有用である。
【０００８】
本発明の情報処理システムは、本発明のデータ取得システムを複数有し、前記複数のデータ取得システムと通信ネットワークを通じて接続されている情報処理システムであって、前記情報処理システムは、前記所定の者にとって最適なデータ取得システムを導出する導出部を含む。
【０００９】
本発明の情報処理システムは、本発明の記録ユニットの製造に特に有用である。
【００１０】
本発明の製造システムは、本発明の記録ユニットを製造するための製造システムであって、取得したデータに基づいて前記所定の者の体の少なくとも一部をかたどる模型部を作成するための型を作成する型製造機を含む。
【００１１】
本発明の製造システムは、本発明の記録ユニットの製造に特に有用である。
【００１２】
本発明の情報処理システムは、本発明の製造システムを複数有し、前記複数の製造システムと接続されている情報処理システムであって、前記情報処理システムは、前記所定の者にとって最適なデータ取得システムを導出する導出部を含む。
【００１３】
本発明の情報処理システムは、本発明の記録ユニットの製造に特に有用である。
【００１４】
本発明の第１の記録ユニットの集合体は、
複数の記録ユニットが接続部により連結された記録ユニットの集合体であって、
前記接続部は、第１の軸、第２の軸、第３の軸および第４の軸と、
第１の支持体および第２の支持体と、
第１の連結体および第２の連結体と、を含み、
第１の支持体は、前記第１の軸および前記第３の軸を中心として回転可能に前記第１の軸および前記第３の軸に取り付けられ、
前記第２の支持体は、前記第２の軸および前記第４の軸を中心として回転可能に前記第２の軸および前記第３の軸に取り付けられ、
前記第１の連結体は、前記第１の軸および前記第２の軸を保持することを通じて、前記第１の支持体と前記第２の支持体を連結し、
前記第２の連結体は、前記第３の軸および前記第４の軸を保持することを通じて、前記第１の支持体と前記第２の支持体を連結している。
【００１５】
このような接続部によれば、隣り合う記録ユニットの回転角度を０°から３６０°の範囲とすることができる。その結果、記録ユニットの集合体の配置の自由度を高めることができる。
【００１６】
また、本発明の第２の記録ユニットの集合体は、
複数の記録ユニットが接続部により連結された記録ユニットの集合体であって、
第１のユニットの端面と第２のユニットの端面とが対向するように隣接して並べたときに、第１のユニットの端面における第１の端が向かい合う第２のユニットの端面の端を、第２のユニットの端面における第１の端とし、第１のユニットの端面における第２の端が向かい合う第２のユニットの端面の端を、第２のユニットの端面における第２の端としたとき、
前記接続部は、
前記第１のユニットの端面における第１の端と、前記第２のユニットの端面における第２の端とを接続する第１の接続帯および第２の接続帯と、
前記第１の接続帯と前記第２の接続帯との間において、前記第１のユニットの端面における第２の端と、前記第２のユニットの端面における第１の端とを接続する中間接続帯とを有する。
【００１７】
このような接続部によれば、隣り合う記録ユニットの回転角度を０°から３６０°の範囲とすることができる。その結果、記録ユニットの集合体の配置の自由度を高めることができる。
【発明を実施するための最良の形態】
【００１８】
以下、本発明の好適な実施の形態について図面を参照しながら説明する。
【００１９】
１．記録ユニット
図１は、記録ユニット１００の構成を示す。記録ユニット１００は、所定の者の音声情報または所定の者に対する音声情報を再生する音声再生部１０と、所定の者の画像情報または当該所定の者に対する画像情報を再生する画像再生部１２と、所定の者の体の少なくとも一部をかたどった模型部１４と、他の記録ユニットと接続するための接続部１６とを含む。
【００２０】
所定の者の音声情報または所定の者に対する音声情報を再生する音声再生部１０は、音声を再生できるものであれば特に限定されず、たとえばスピーカーからなることができる。所定の者の音声情報とは、たとえば、記録ユニット１００にて記録に残される者の何らかの音声情報であり、より具体的には記録に残したい時点（たとえば成長の節目や記念となる日の時点）における音声情報をいう。所定の者に対する音声情報とは、たとえば、記録ユニット１００にて記録に残される者に対する何らかの音声情報であり、より具体的にはその者に対するメッセージ音声などである。
【００２１】
所定の者の画像情報または当該所定の者に対する画像情報を再生する画像再生部１２は、画像を再生できるものであれば特に限定されず、たとえば液晶表示装置などの表示装置からなることができる。所定の者の画像情報とは、たとえば、記録ユニット１００にて記録に残される者の何らかの画像情報であり、より具体的には記録に残したい時点（たとえば成長の節目や記念となる日の時点）における画像情報をいう。所定の者に対する画像情報とは、たとえば、記録ユニット１００にて記録される者に対する何らかの画像情報であり、より具体的にはその者に対するメッセージ画像などである。画像再生部は、1枚あるいは複数枚の写真や動画を再生させることができる。
【００２２】
所定の者の体の少なくとも一部をかたどった模型部１４は、たとえば、金属もしくは他の材質でできた鋳物により構成させることができる。所定の者の体の少なくとも一部とは、記録ユニットに記録を残される者の足形や手形、顔の形状などがある。
【００２３】
他の記録ユニットと接続する接続部１６は、他の記録ユニットと何らかのかたちで接続できるものであればよく、たとえば他の記録ユニットと金具（蝶番）などで接続したり、係合させて接続させたりすることもできる。
【００２４】
記録ユニット１００に用いられる基体１８は、特に限定されないが、たとえば、木製もしくは他の材質（ガラスなど）で作られている平面状のもの（たとえばプレート板）や、種々の立体的形状のものであってもよい。記録ユニット１００は、基体１８を支える支持体（たとえば支持台）２０を含んでいてもよい。
【００２５】
記録ユニット１００には記念名を表示するネームプレート２２や写真２４などを設けてもよい。
【００２６】
また、記録ユニット１００は、外部の再生機器と接続するための接続端子（ＵＳＢ接続端子など）を設けてもよい。
【００２７】
図２に示すように、模型部１４は、記録ユニット１００の基体１８から着脱自在に取り付けることができる。なお、基体１８にははめ込み部１８ａを設けておくとよい。図３に示すように、模型部１４をその支持部１８ｂ（図２参照）を支点として回転可能とすることもできる。これにより、テーブルや棚等への飾り方の自由度が増す。
【００２８】
図４は、記録ユニット１００のシステム構成例を示す。記録ユニット１００は、制御回路３０を含む。制御回路３０は、ＣＰＵ、ＲＡＭおよびＲＯＭなどの公知の制御手段を適用することができる。
【００２９】
また、記録ユニット１００は、電源部（たとえば電池）３２、所定の者の上記の音声情報や画像情報を記憶する記憶部３４を含む。記憶部３４の機能は、光ディスク（ＣＤ、ＤＶＤ）、光磁気ディスク（ＭＯ）、磁気ディスク、ハードディスク、磁気テープ、またはメモリ（ＲＯＭ）などのハードウェアにより実現できる。制御回路３０は、音声再生部１０、画像再生部１２および記憶部３４を制御する。具体的には、出力スイッチ３６が入ることに応じて制御回路３０が記憶部３４に記憶された情報を読み出し、音声再生部１０および画像再生部１２において情報を再生させる。つまり、音声もしくは動画の再生は模型部を触ったり、押すことによりスイッチ２２が入り、情報記憶部３４に予め記録保存されている音声（子供の声やペット等の鳴き声）をスピーカーから流したり、または記録保存されている写真、動画を画像表示装置により表示させることができる。この出力スイッチ３６は、模型部１４を押すもしくは接触すると、入るような構成とすることができる。
【００３０】
図５（ａ）は記録ユニット１００Ａと他の記録ユニット１００Ｂとが互いに連結できるようにするための構造の一例を示す。図５（ｂ）は、図５（ａ）における２つの記録ユニット１００Ａ，１００Ｂを上から見た上面図である。記録ユニット１００Ａは、一方の基体１８の端部に支点保持部１６ａ，１６ｂが設けられ、他方（その反対）の端部に支点部１６ｄを支持する支点支持部１６ｃが設けられている。他の記録ユニット１００Ｂも同様の構成を有する。これにより、記録ユニット１００Ａの支点部１６ｄは、他方の記録ユニット１００Ｂの支点保持部１６ａ，１６ｂにより保持（たとえば、はめこんで係合して保持）されることにより、記録ユニット１００Ａと記録ユニット１００Ｂとが接続される。このように一方の記録ユニット１００Ａと他方の記録ユニット１００Ｂとを接続することで、支点部１６ｄを中心に回動可能とすることができ、置かれるスペースに応じてその開き度合いを調整することができる。
【００３１】
また、一方の記録ユニット１００Ａと他方の記録ユニット１００Ｂとは、図６に示すように、直列に接続してもよい。この場合には、たとえば記録ユニット１００Ａの一方の側部にレール状の突部１６ｅが設けられ、他方の端部に他の記録ユニット１００Ｂの突部１６ｅを収容する案内溝（図示せず）を設けてもよい。さらに、図７に示すように、複数の記録ユニット１００Ａ，１００Ｂを上下にずらして連結させてもよいし、図８に示すように記録ユニット１００Ａ，１００Ｂ，１００Ｃ，１００Ｄを支点部で角度２４，２５，２６を持たせてジグザグ状に連結してもよい。また接続部（上記の支点保持部、支点部など）を上下左右に設け、を上下左右配置することで立体に連結することも可能となる。
【００３２】
さらに、図９（ａ）に示すように、記録ユニット１００は、接続体５０を介して、他の記録ユニット１００と接続してもよい。この場合に、接続体５０に突部５２が設けられ、記録ユニット１００の側部にはその突部に対応する凹部６０が設けられている。突部５２が凹部６０に挿入（好ましくは圧入）されることで、接続してもよい。この際、図９（ｂ）に示すように、凹部６０内に設けたキャップ部６２で突部５２を受けるような構成としてもよい。
【００３３】
２．生産システム
図１０は、実施の形態に係る生産システムの構成例を示す。
【００３４】
生産システム２００は、データ取得システム２１０と、記録ユニット製造システムと２２０を含む。データ取得システム２１０および記録ユニット製造システム２２０は、いずれも通信ネットワーク（たとえばインターネット）２３０に接続されている。
【００３５】
データ取得システム２１０は、手形や足形データを取得するデータ検知部２１２と、人の声などを取得するための音声マイク２１４と、対象者を写真撮影又は画像撮影するためのカメラ２１６とを含む。検知部２１２、音声マイク２１４およびカメラ２１６は、コンピューター２１８に所定の接続方法（たとえばＵＳＢ接続）により接続されている。このコンピューター２１８は、インターネット接続装置（モデムやルーターなど）２３２を介してインターネットと接続されている。手形や足形データを取得するデータ検知部２１２は、足や手を載せることで手形足形データを取得する圧力検知装置や、画像スキャナーにより構成することができる。データ取得システム２１０は、カメラを有する携帯電話により実現してもよいなお、検知部２１２は、実際に人の足や手を検知することの他、粘土キットなどで既に型ができている場合にはその型の形状を検知してもよい。
【００３６】
各種データを取得するためにコンピューター２１８に組み込まれている所定のプログラムを立ち上げ、記録される者を特定する情報（申込み番号など）を入力することで顧客情報がコンピューター２１８の表示画面２１８ａ上に表示される。次に、検知部２１２に記録される者の足や手を載せ、足形や手形などのデータの取り込みを行う。また、記録される者の顔などの写真をカメラ２１６で取り込む。さらに、マイク２１４により音声を取り込む。この音声の取り込みは、足形や手形を取り込まれた者に付き添われて来た者のメッセージを取り込んでもよい。これらの画像や音声データの取り込み後、コンピューター２１８の画面２１８ａ上に写真及び足形手形などの情報が表示されると共に、スピーカーから音声を流して音声情報の確認を行ってもよい。
【００３７】
データ取得システム２１０により取得されたデータおよび顧客情報（名前、住所等）は、通信ネットワーク２３０を通じて記録ユニット製造システム２２０に転送される。
【００３８】
記録ユニット製造システム２００は、記録ユニット１００の記憶部３４に適用される記憶装置に音声を記録するための音声記録装置２２２と、模型部１６を作成するための型を製作する型製作機械２２４と、記録ユニット１００に貼付される写真などを印刷するプリンター２２６とを含む。音声記録装置２２２、型製作機械２２４およびプリンター２２６は、コンピューター２２８に所定の接続方法（たとえばＵＳＢ接続）により接続されている。記録ユニット製造システム２００は、インターネット接続装置（モデムやルーターなど）２３４を介して通信ネットワーク２３０に接続されている。
【００３９】
データ取得システム２１０により転送された顧客情報および取得データは、記録ユニット製造システム２２０のコンピューター２２８に保存される。保存されたデータは、所定のプログラムを立ち上げて、取得データのうち音声データを音声記録装置２２２に転送する。音声記録装置２２２は、記録ユニット１００に適用される所定の記憶装置に音声を記録する。記録された記憶装置は記録ユニット１００の回路基板に組み込まれ、基体１８に取り付けられることとなる。
【００４０】
足形または手形のデータは、コンピューター２２８内の所定のプログラムにより、鋳物型データに変換され、型製作機械２２４に転送され型が製造される。次に、型製作機械２２４により製作された型に基づいて、足形または手形の模型（たとえば鋳物）の製作を行い、その鋳物は基体１８に取り付けられることとなる。型製作機械は、公知のものを適用することができる。
【００４１】
写真データは、プリンター２２６に転送され、所定の大きさにプリント出力され、基体１８に取り付けられる。
【００４２】
以上のようにして、記録ユニット１００を製造することができる。
【００４３】
なお、図１１に示すように、データ取得システム２１０および記録ユニット製造システム２２０に通信ネットワーク２３０を介して接続されている情報管理サーバ２４０を設けてもよい。
【００４４】
情報管理サーバ２４０は、通信ネットワーク２６０を介してクライアント端末２５０と接続されている。なお、通信ネットワーク２６０として、通信ネットワーク２４０を適用してもよい。
【００４５】
情報管理サーバ２４０は、データ取得システム２１０から顧客情報および足形、手形などのデータを受信して、情報を管理する機能を有することができる。また、情報管理サーバ２４０は、クライアント端末（コンピューターや携帯電話）２５０と接続されて、受付やデータ取得システム２１０の場所を知らせることもできる。情報管理サーバ２４０はコンピューターにより実現することができる。具体的には、次のような処理を行うことができる。
【００４６】
クライアント端末２５０が情報管理サーバ２４０に対して通信ネットワーク２６０を通じて情報取得要求を送信すると、情報管理サーバ２４０はクライアント端末２５０に申し込み画面のデータを送信する。クライアント端末２６０が申し込み画面データを受信すると、クライアント端末２６０の表示装置（図示せず）にその申し込み画面を表示する。クライアント端末２６０の操作者が申し込みをするための情報（氏名、住所など）を入力し、情報管理サーバ２４０に対して送信すると、それを受け取った情報管理サーバ２４０は、住所に基づいて、申し込み者にとって最も都合のいいデータ取得システム（たとえば最も近い場所にあるデータ取得システム）２１０がある場所を特定し、クライアント端末２５０に送信する。なお、いくつかの場所を近い順に候補場所を表示してもよい。また、情報管理サーバ２４０は、クライアント端末２５０に対して、経路情報及び地図情報も送信してもよい。
【００４７】
一方で、情報管理サーバ２４０は、データ取得システム２１０および記録ユニット製造システム２２０に、予約された旨および顧客データを送信する。
【００４８】
なお、データ取得システム２１０および記録ユニット製造システム２２０のいずれかのコンピューターを情報管理サーバとして実現してもよい。
【００４９】
データ取得システム２１０は、写真撮影所、産婦人科などを有する病院、七五三で訪れる場所など思い出に残る場所などに設けることができる。
【００５０】
この記録ユニット１００によれば、一つの基体１８上に写真、手形足形または顔モチーフを配置し、その当時の印象深い音声が再生されることで、たとえば、いつでも子供の成長の中で思い出を瞬間的に思い浮かべることができる。
【００５１】
３．接続部の具体的構成
（１）第１の接続例
以下、接続部１６の一例を説明する。図１２〜図１４は、第１の接続れを説明するための図である。
【００５２】
接続部１６は、第１の支持体６０Ａと第２の支持体６０Ｂとを含む。
第１の支持体６０Ａは第１の軸６４Ａを中心として回転自在に、第１の軸６４Ａに取り付けられている。また、第１の支持体６０Ａは第３の軸６４Ｃを中心として回転自在に、第３の軸６４Ｃに取り付けられている。
【００５３】
第２の支持体６０Ｂは、第４の軸６４Ｄを中心として回転自在に、第４の軸６４Ｄに取り付けられている。また、第２の支持体６０Ｂは、第２の軸６４Ｂを中心として回転自在に、第４の軸６４Ｄに取り付けられている。
【００５４】
第１の連結体６２Ａは、第１の軸６４Ａおよび第２の軸６４Ｂを固定するために保持している。また、第１の連結体６２Ａは、第１の軸６４Ａおよび第２の軸６４Ｂを固定保持することを通じて、第１の支持体６０Ａと第２の支持体６０Ｂとを連結している。
第２の連結体６２Ｂは、第３の軸６４Ｃおよび第４の軸６４Ｄを固定するために保持している。第２の連結体６２Ｂは、第３の軸６４Ｃおよび第４の軸６４Ｄを固定保持することを通じて、第１の支持体６０Ａと第２の支持体６０Ｂとを連結している。
【００５５】
第１の軸６４Ａおよび第２の軸６４Ｂは、第１の支持体６０Ａの一方の側（たとえば上側）の両サイドに設けられ、第３の軸６４Ｃおよび第４の軸６４Ｄは第２の支持体６０Ｂの他方の側（たとえば下側）の両サイドに設けられている。
【００５６】
具体的に、接続部１６について、説明する。
【００５７】
第１のユニット１００Ａが第１の支持体６０Ａに取り付けられ、第２のユニット１００Ｂが第２の支持体６０Ｂに取り付けられている場合を考える。
第１および第２の記録ユニット１００Ａ，１００Ｂを開く場合に、第２の支持体６０Ｂが第２の軸６４Ｂを中心として回転すると共に、第１の支持体６０Ａは第３の軸６４Ｃを中心として回転する。これにより、第１の記録ユニット１００Ａと第２の記録ユニット１００Ｂとが開く方向に離れ（図１３参照）、第１の支持体６０ＡとＡとが相対向する位置まで、第２の支持体６０Ｂが第２の軸６４Ｂを中心として、第１の支持体６０Ａが第３の軸６４Ｃを中心として回転していく（図１４参照）。
【００５８】
次に、第１の記録ユニット１００Ａと第２の記録ユニット１００Ｂとを矢印の方向第１の連結体６２Ａ，第２の連結体６２Ｂに回転させる場合には、第１の支持体６０Ａが第１の軸６４Ａと中心として回転する共に、第２の支持体６０Ｂが第４の軸６４Ｄを中心として回転することになる。
【００５９】
このような接続部によれば、隣り合う記録ユニット１００Ａ，１００Ｂの回転角度を０°から３６０°の範囲とすることができる。その結果、記録ユニットの集合体の配置の自由度を高めることができる。
【００６０】
（第２の接続例）
第２の接続例を図１５〜図１８を用いて説明する。
第１の記録ユニット１００Ａと第２の記録ユニット１００Ｂとは、第１〜第３の接続帯７２Ａ，７２Ｂ，７２Ｃおよび中間接続帯７４により接続することができる。第１の記録ユニット１００Ａの端面７０Ａと第２の記録ユニット１００Ｂの端面７０Ｂとが対向するようにそれら記録ユニット１００Ａ，１００Ｂを隣接して並べたときに、第１の記録ユニット１００Ａの端面７０Ａにおける第１の端７６Ａが、向かい合う第２の記録ユニット１００Ｂの端面７０Ｂの端を、第２の記録ユニット１００Ｂの端面７０Ｂにおける第１の端７６Ｂとし、第１の記録ユニット１００Ａの端面７０Ａにおける第２の端７８Ａが、向かい合う第２の記録ユニット１００Ｂの端面７０Ｂの端を、第２の記録ユニット１００Ｂの端面７０Ｂにおける第２の端７８Ｂとする。この場合に、第１〜第３の接続帯７２Ａ，７２Ｂ，７２Ｃは、第１の記録ユニット１００Ａの第１の端７６Ａと、第２の記録ユニット１００Ｂの第２の端７８Ｂとを接続している。
【００６１】
中間接続帯７４は、第１の接続帯７２Ａと第２の接続帯７２Ｂとの間、および第２の接続帯７２Ｂと第３の接続帯７２Ｃとの間に設けられ、第１の記録ユニット１００Ａの第２の端７８Ａと、第２の記録ユニット１００Ｂの第１の端７６Ｂとを接続している。
【００６２】
第１〜第３の接続帯７２Ａ，７２Ｂ，７２Ｃおよび中間接続帯７４は、可撓性（特に屈曲性）のあるものであれば特に限定されず、たとえば、布などの繊維からなるものや金属製のもの（たとえばステンレス）からなることができる。
【００６３】
このように第１〜第３の接続帯７２Ａ，７２Ｂ，７２Ｃおよび中間接続帯７４により、図１７および図１８に示すように、第１の記録ユニット１００Ａを第２の記録ユニット１００Ｂと相対的に３６０度回転させることができる。
【００６４】
第１および第２の記録ユニット１００Ａ，１００Ｂは、基体１８に取り付けられた接続端部８０を含むことができる。この場合には、第１〜第３の接続帯７２Ａ，７２Ｂ，７２Ｃおよび中間接続帯７４は接続端部８０に取り付けることができる。基体１８と接続端部８０は、たとえば磁石８４により取り付けることができる。このように第１の記録ユニット１００Ａと第２の記録ユニット１００Ｂとを接続することで、簡易にこれらユニット１００Ａ，１００Ｂを接続することができる。第１および第２の記録ユニット１００Ａ，１００Ｂの端面７０Ａ，７０Ｂは、接続端部８０の端面で構成することができる。接続端部８０の断面は、半円状とすることができる。また、接続端部８０には、保護体８２を設けることができる。保護体８２があることで、磁石８４などを守ることができる。
【００６５】
４．その他変形例
記録ユニット１００には、へその緒など身体の構成物だったものを収容する収容部（図示せず）を設けてもよい。なお、記録ユニット１００に土台がある場合には、土台に収容部を設けてもよい。
【００６６】
また、所定の者とは、一人でなくとも、複数人、たとえばチーム（スポーツチームなど）であってもよい。
【００６７】
上記の実施の形態は、本発明の範囲内において、種々の変更が可能である。
【図面の簡単な説明】
【００６８】
【図１】記録ユニットの構成を示す。
【図２】記録ユニットの説明図である。
【図３】記録ユニットの説明図である。
【図４】記録ユニットのシステム構成例を示す。
【図５】（ａ）は、記録ユニットと他の記録ユニットとが互いに連結できるようにするための構造の一例を示す。（ｂ）は、図５（ａ）における２つの記録ユニットを上から見た上面図である。
【図６】複数の記録ユニットの接続態様を示す。
【図７】複数の記録ユニットの接続態様を示す。
【図８】複数の記録ユニットの接続態様を示す。
【図９】複数の記録ユニットの接続態様を示す。
【図１０】実施の形態に係る生産システムの構成例を示す。
【図１１】実施の形態に係る生産システムの変形例である。
【図１２】接続部の一例を説明するための説明図である。
【図１３】接続部の一例を説明するための説明図である。
【図１４】接続部の一例を説明するための説明図である。
【図１５】接続部の一例を説明するための説明図である。
【図１６】接続部の一例を説明するための説明図である。
【図１７】接続部の一例を説明するための説明図である。
【図１８】接続部の一例を説明するための説明図である。
【符号の説明】
【００６９】
１０  音声再生部
１２  画像再生部
１４  模型部
１６  接続部
１８  基体
２０  支持体
２２  ネームプレート
２４  写真
３０  制御部
３２  電源部
３４  記憶部
５０  凹部
５２  キャップ部
６０Ａ  第１の支持体
６０Ｂ  第２の支持体
６２Ａ  第１の連結体
６２Ｂ  第２の連結体
６４Ａ  第１の軸
６４Ｂ  第２の軸
６４Ｃ  第３の軸
６４Ｄ  第４の軸
７０Ａ，７０Ｂ    端面
７２Ａ，７２Ｂ，７２Ｃ  第１〜第３の接続帯
７４    中間接続帯
７６Ａ，７６Ｂ  第１の端
７８Ａ，７８Ｂ  第２の端
８０  接続端部
８２  保護体
８４  磁石
１００  記録ユニット
２００  生産システム
２１０  データ取得システム
２１２  データ検知部
２１４  音声マイク
２１６  カメラ
２１８  コンピューター
２２０  記録ユニット製造システム
２２２  音声記録装置
２２４  型製作機械
２２６  プリンター
２２８  コンピューター
２３０  通信ネットワーク
２３２  接続装置
２３４  接続装置
２４０  情報管理サーバ
２５０  クライアント端末
２６０  通信ネットワーク
【図１】
2009207884.tif 000003
【図２】
2009207884.tif 000004
【図３】
2009207884.tif 000005
【図４】
2009207884.tif 000006
【図５】
2009207884.tif 000007
【図６】
2009207884.tif 000008
【図７】
2009207884.tif 000009
【図８】
2009207884.tif 000010
【図９】
2009207884.tif 000011
【図１０】
2009207884.tif 000012
【図１１】
2009207884.tif 000013
【図１２】
2009207884.tif 000014
【図１３】
2009207884.tif 000015
【図１４】
2009207884.tif 000016
【図１５】
2009207884.tif 000017
【図１６】
2009207884.tif 000018
【図１７】
2009207884.tif 000019
【図１８】
2009207884.tif 000020